(57)【要約】【課題】  システムコントローラからの要求を待たずに、起動動作内容を判断し、装置全体の立ち上がり時間を短縮することが可能な画像形成装置、画像形成装置による制御方法およびプログラムを提供する。【解決手段】  この画像形成装置は、電源が供給されて制御を行う第１制御手段と第２制御手段とを備え、第１制御手段にのみ電源が供給される省エネモードへ移行可能な装置であり、省エネモードへ移行する場合に所定位置に移動される移動部材と、第２制御手段に接続され、移動部材が所定位置にあるかを検知する移動部材検知手段を備える。第２制御手段は、第２制御手段への電源供給開始に応答して、移動部材検知手段から移動部材が所定位置にあるかの検知結果を取得し、その検知結果に基づいて、第１制御手段と第２制御手段とに電源が供給された場合に行われる第１初期化処理と省エネモードから復帰する場合に行われる第２初期化処理とから選択して実行する。【選択図】  図６
2008216527.tif 000002
【特許請求の範囲】
【請求項１】
電源が供給されて制御を行う第１制御手段と第２制御手段とを備え、前記第１制御手段にのみ前記電源が供給される省エネモードへ移行可能な画像形成装置であって、
前記省エネモードへ移行する場合に所定位置に移動される移動部材と、
前記第２制御手段に接続され、前記移動部材が前記所定位置にあるか否かを検知する移動部材検知手段とを備え、
前記第２制御手段は、該第２制御手段への電源供給が開始されたことに応答して、前記移動部材検知手段から前記移動部材が前記所定位置にあるか否かの検知結果を取得し、前記検知結果に基づいて、前記第１制御手段と前記第２制御手段とに前記電源が供給された場合に行われる第１初期化処理と前記省エネモードから復帰する場合に行われる第２初期化処理とから選択して実行する、画像形成装置。
【請求項２】
前記移動部材は、光源とミラーとを有するキャリッジである、請求項１に記載の画像形成装置。
【請求項３】
前記所定位置は、原稿の読み取り開始位置である、請求項１または２に記載の画像形成装置。
【請求項４】
前記画像形成装置は、さらに、原稿サイズを検知する原稿サイズ検知手段を備え、
前記所定位置は、前記原稿サイズ検知手段が前記原稿サイズを検知することが可能な位置である、請求項１または２に記載の画像形成装置。
【請求項５】
前記画像形成装置は、さらに、前記画像形成装置の主電源が切られたか否かを検知する電源検知手段を備え、
前記第２制御手段は、前記電源検知手段が前記省エネモード時に前記主電源が切られたことを検知した場合に、前記移動部材を前記所定位置に移動させる、請求項１〜４のいずれか１項に記載の画像形成装置。
【請求項６】
前記第１制御手段は、前記移動部材検知手段が、前記移動部材が前記所定位置にあることを検知した場合に、前記画像形成装置への電源供給を停止する、請求項５に記載の画像形成装置。
【請求項７】
前記第１制御手段は、前記電源検知手段が前記省エネモード時に前記主電源が切られたことを検知し、所定時間経過後に前記画像形成装置への電源供給を停止する、請求項５に記載の画像形成装置。
【請求項８】
電源が供給されて制御を行う第１制御手段と第２制御手段とを備え、前記第１制御手段にのみ前記電源が供給される省エネモードへ移行可能な画像形成装置により実行される制御方法であって、前記画像形成装置は、前記省エネモードへ移行する場合に所定位置に移動される移動部材と、前記第２制御手段に接続され、前記移動部材が前記所定位置にあるか否かを検知する移動部材検知手段とを備えており、
前記第２制御手段への電源供給が開始されたことに応答して、前記移動部材検知手段から前記移動部材が前記所定位置にあるか否かの検知結果を取得するステップと、
前記検知結果に基づいて、前記第１制御手段と前記第２制御手段とに前記電源が供給された場合に行われる第１初期化処理と前記省エネモードから復帰する場合に行われる第２初期化処理とから選択して実行するステップとを含む、制御方法。
【請求項９】
前記画像形成装置は、前記画像形成装置の主電源が切られたか否かを検知する電源検知手段をさらに備えており、
前記電源検知手段が前記省エネモード時に前記主電源が切られたことを検知した場合に、前記移動部材を前記所定位置に移動させるステップをさらに含む、請求項８に記載の制御方法。
【請求項１０】
前記移動部材検知手段が、前記移動部材が前記所定位置にあることを検知した場合に、前記画像形成装置への電源供給を停止するステップをさらに含む、請求項９に記載の制御方法。
【請求項１１】
前記電源検知手段が前記省エネモード時に前記主電源が切られたことを検知し、所定時間経過後に前記画像形成装置への電源供給を停止するステップをさらに含む、請求項９に記載の制御方法。
【請求項１２】
請求項８〜１１のいずれか１項に記載の制御方法を実行するための画像形成装置により可読なプログラム。
【発明の詳細な説明】
【技術分野】
【０００１】
本発明は、２つの制御手段を有し、そのうちの１つにのみ電源が供給される省エネモードに移行可能な画像形成装置において、省エネモードからの復帰か否かを判定し、それに基づき、異なる初期化処理を実行する装置、該装置により実行される制御方法および該方法を実現するための装置可読なプログラムに関する。
【背景技術】
【０００２】
複写機、プリンタ、ＦＡＸ装置、それらを機能として有する複合機等の画像形成装置は、装置全体の制御を行うシステムコントローラと、画像の入出力を制御するエンジンとの２つの制御手段を備えている。
【０００３】
近年、石油といったエネルギー資源の問題や大気汚染等の環境問題から、省エネルギー製品の開発が進み、画像形成装置においても、一定時間、装置が操作されない場合や操作パネルの電源ボタン（主電源とは異なるボタン）が押下された場合に、省エネモードに移行し、消費電力を低減する装置が提案され、数多く製品化されている。なお、省エネモードは、上記のシステムコントローラにのみ電源が供給され、上記のエンジンには電源が供給されないモードである。
【０００４】
省エネ制御を行う装置として、例えば、複数種類のデバイスを有し、省エネ制御の必要性を有するデバイスについて省エネ制御を行う画像形成装置が提案されている（特許文献１参照）。この装置は、複写アプリケーション、スキャナアプリケーション、プリンタアプリケーション、ＦＡＸアプリケーション等の複数種類の画像処理アプリケーションおよび動作モードの実行履歴に関する情報と、複写機、スキャナ、プリンタ、ＦＡＸ装置等の各デバイスに関する情報とを取得し、記憶しておき、これらの情報と、各アプリケーションの動作モードと、各デバイスの省エネ制御の必要性との関連を示す情報とを参照して、省エネ制御の必要性を有するデバイスについて省エネ制御を行うものである。
【０００５】
省エネモードへの移行は、一定時間操作されない場合や上記の操作パネルの電源ボタンが押下された場合に実行されるが、これは、一部の機能以外の機能を停止させて電力消費量を抑制するとともに、次の起動時の起動処理を短縮し、早期の復帰を可能にする。
【０００６】
例えばプリンタにおいて、省エネモードからの復帰は、プリンタが印刷データを受信することによって行われるため、印刷が完了までの待ち時間は、省エネモードを解除する解除処理の時間と、ウォーミングアップに要する時間との和となる。このウォーミングアップに要する時間は、省エネモード状態にあった時間に比例して長くなる。
【０００７】
そこで、ウォームアップが必要な電子機器の処理待ち時間を短縮する方法が提案されている（特許文献２参照）。この方法では、コンピュータが、印刷データを送信するに先立って所定の処理を行うときスリープモード解除要求信号を出力し、スリープモードにある電子機器が、そのスリープモード解除要求信号に応答してスリープモードを解除し、ウォーミングアップが必要な場合にはウォーミングアップ処理を行い、その後、コンピュータから印刷データを受信して印刷処理を行う。このように、速やかにスリープモードからスタンバイ状態に遷移して、コンピュータから印刷データが送信されたときには、即座に印刷出力に入ることができる。
【特許文献１】特開２００１−２８５５４３号公報
【特許文献２】特開２００３−２９９５４号公報
【発明の開示】
【発明が解決しようとする課題】
【０００８】
従来、画像形成装置は、エンジンへの電源供給が開始された場合、システムコントローラからの起動要求を受け、その要求から起動動作内容を判断し、その内容に基づいて起動制御を行っている。このため、システムコントローラの起動時間が装置全体の立ち上がり時間に影響している。この立ち上がり時間を短縮するためには、システムコントローラからの起動要求を待たずに、起動動作内容を判断し、その内容に基づいて起動制御を行う必要がある。
【０００９】
そこで、システムコントローラからの起動要求を待たずに、起動動作内容を判断し、装置全体の立ち上がり時間を短縮することが可能な画像形成装置の提供が望まれている。また、装置全体の立ち上がり時間を短縮する方法およびその方法を実現するための装置可読なプログラムの提供も望まれている。
【課題を解決するための手段】
【００１０】
本発明は、上記課題を解決するために、省エネモードへ移行する場合に所定位置に移動される移動部材と、エンジンに接続され、移動部材の位置を検知する移動部材検知手段とを備えた構成とし、この移動部材の位置により、起動動作内容を判断できるようにする。これにより、システムコントローラからの起動要求を待つことなく、起動制御を行うことができ、装置全体の立ち上がり時間を短縮することが可能となる。すなわち、上記課題は、本発明の画像形成装置、該画像形成装置により実行される制御方法および該方法を実現するための装置可読なプログラムを提供することにより解決される。
【００１１】
本発明によれば、電源が供給されて制御を行う第１制御手段と第２制御手段とを備え、第１制御手段にのみ電源が供給される省エネモードへ移行可能な画像形成装置であって、
省エネモードへ移行する場合に所定位置に移動される移動部材と、
第２制御手段に接続され、移動部材が所定位置にあるか否かを検知する移動部材検知手段とを備え、
第２制御手段は、該第２制御手段への電源供給が開始されたことに応答して、移動部材検知手段から移動部材が所定位置にあるか否かの検知結果を取得し、その検知結果に基づいて、第１制御手段と第２制御手段とに電源が供給された場合に行われる第１初期化処理と省エネモードから復帰する場合に行われる第２初期化処理とから選択して実行する、画像形成装置が提供される。
【００１２】
上記移動部材は、光源とミラーとを有するキャリッジとすることができる。画像形成装置が、光源と複数のミラーとを備え、複数のキャリッジを構成する場合には、いずれのキャリッジでも移動部材とすることができる。
【００１３】
上記の所定位置は、原稿の読み取り開始位置とすることができる。この場合、移動部材検知手段は、その読み取り開始位置を検知するホームポジションセンサとすることができる。また、上記の所定位置は、画像形成装置が備える原稿サイズを検知する原稿サイズ検知手段が、原稿サイズを検知することが可能な位置とすることができる。この所定位置は、特定の位置に限られるものではなく、移動部材検知手段が検知可能な範囲内の任意の位置とすることができる。
【００１４】
また、上記画像形成装置は、さらに、その画像形成装置の主電源が切られたか否かを検知する電源検知手段を備えることができる。この場合、第２制御手段は、電源検知手段が省エネモード時に主電源が切られたことを検知した場合に、移動部材を所定位置に移動させる。第１制御手段は、移動部材検知手段が、移動部材が所定位置にあることを検知した後、画像形成装置への電源供給を停止する。
【００１５】
第１制御手段は、電源検知手段が省エネモード時に主電源が切られたことを検知した場合に、画像形成装置への電源供給を停止することができるが、その検知に応答してタイマをセットし、所定時間経過後に電源供給を停止することもできる。
【００１６】
本発明によれば、画像形成装置により実行される制御方法を提供することもできる。画像形成装置は、上記の移動部材と移動部材検知手段とを備えていて、この方法は、
第２制御手段への電源供給が開始されたことに応答して、移動部材検知手段から移動部材が所定位置にあるか否かの検知結果を取得するステップと、
検知結果に基づいて、第１制御手段と第２制御手段とに電源が供給された場合に行われる第１初期化処理と省エネモードから復帰する場合に行われる第２初期化処理とから選択して実行するステップとを含む。
【００１７】
画像形成装置は、画像形成装置の主電源が切られたか否かを検知する電源検知手段をさらに備えていて、上記方法は、この電源検知手段が省エネモード時に主電源が切られたことを検知した場合に、移動部材を所定位置に移動させるステップを含むことができる。
【００１８】
また、移動部材検知手段が、移動部材が所定位置にあることを検知した場合に、画像形成装置への電源供給を停止するステップをさらに含むことができる。
【００１９】
この停止するステップは、電源検知手段が省エネモード時に主電源が切られたことを検知し、所定時間経過後に画像形成装置への電源供給を停止するステップとすることもできる。
【００２０】
さらに、本発明では、上記の制御方法を実行するための装置可読なプログラムとして構成し、このプログラムを実行することにより上記制御方法の各ステップを実行することもできる。
【発明の効果】
【００２１】
本発明によれば、移動部材の位置により、起動動作内容を判断することができるため、第１制御手段であるシステムコントローラからの起動要求を待たずに、第２制御手段であるエンジンが起動制御を行うことができるため、立ち上がり時間を短縮することができ、ユーザへの待ち時間を短縮することができる。
【００２２】
移動部材を読み取り装置部の光源とミラーとを有するキャリッジとすることにより、画像形成装置のハードウェア構成に、新たなデバイスを追加する必要がないため、コストを抑制することができる。
【００２３】
また、上記の所定位置をキャリッジの読み取り開始位置とすることにより、画像形成装置のハードウェア構成に、新たなデバイスを追加する必要がないため、コストを抑制することができる。
【００２４】
さらに、上記の所定位置を原稿サイズのサイズ検知位置とすることにより、画像形成装置のハードウェア構成に、新たなデバイスを追加する必要がないため、コストを抑制することができる。
【００２５】
省エネモード時に主電源が切られたことを検知した場合に、移動部材を所定位置に移動させた後に主電源を切ることで、その後に主電源を入れる場合に、移動部材が所定位置にないと検知され、省エネモードからの立ち上げと誤って判断することを防止することができる。
【００２６】
また、移動部材検知手段が、移動部材が所定位置にあることを検知した場合に、画像形成装置への電源供給を停止することで、所定位置に確実に移動させた後に、画像形成装置への電源供給を停止することができる。
【００２７】
さらに、電源検知手段が省エネモード時に主電源が切られたことを検知し、所定時間経過後に画像形成装置への電源供給を停止することで、所定位置に確実に移動させた後に、画像形成装置への電源供給を停止することができる。
【発明を実施するための最良の形態】
【００２８】
以下、本発明の一実施例を、図面を参照して詳細に説明する。図１は、本発明の実施対象となる画像形成装置を例示した図である。この画像形成装置は、原稿を読み取る読み取り装置部１と、コピーサイズの倍率変更、転写紙のサイズの設定、印刷枚数の設定等を行うための表示部を備える操作ボード２と、原稿を自動で送出する原稿自動送り装置（ＡＤＦ）３と、原稿が排出される原稿排出部４と、転写紙がセットされる給紙トレイ５と、図示しない転写紙を給紙する給紙ユニットと、転写紙が排出されるフィニッシャ６と、画像形成装置へ電源を供給し、電源供給を停止するための主電源スイッチ７とを含んで構成される。
【００２９】
図１に示す画像形成装置の操作ボードを、図２を参照して説明する。操作ボード２は、初期設定ボタン１０と、コピーボタン１１と、スキャナボタン１２と、プリンタボタン１３と、ＦＡＸボタン１４と、表示部１５と、数字キー１６と、クリアストップ（Ｃ／Ｓ）ボタン１７と、メモリクリア（Ｍ／Ｃ）ボタン１８と、スタートボタン１９と、予熱ボタン２０と、電源ボタン２１とを備えている。
【００３０】
各ボタンについて説明すると、初期設定ボタン１０は、初期設定を行うために押下されるものである。コピーボタン１１は、コピー機能を選択するために、スキャナボタン１２は、スキャナ機能を選択するために、プリンタボタン１３は、プリンタ機能を選択するために、ＦＡＸボタン１４は、ＦＡＸ機能を選択するために押下されるものである。表示部１５は、コピーサイズの倍率、転写紙のサイズ、印刷枚数、入力されるＦＡＸ番号等の各情報を表示する。数字キー１６は、印刷枚数やＦＡＸ番号等を入力するために使用される。Ｃ／Ｓボタン１７は、コピー、スキャン、印刷、ＦＡＸ送信等の動作を停止し、または、各機能の選択等を取り消すために押下されるものである。Ｍ／Ｃボタン１８は、蓄積されたデータを消去するために押下されるものである。スタートボタン１９は、コピー、スキャン、印刷、ＦＡＸ送信等を開始するために押下されるものである。予熱ボタン２０は、各機能を一定時間使用しない場合に表示部１５の表示を消して予熱状態に入るために押下されるものである。電源ボタン２１は、上記の機能を実現するために原稿画像を読み取り、転写紙への画像の書き込みを行うエンジンへ電源を供給し、また、エンジンへの電源供給を停止するために押下されるものである。この電源ボタン２１は、エンジンへの電源供給を開始および停止するものであり、図１に示す画像形成装置の主電源スイッチ７とは異なるものである。
【００３１】
図３を参照して画像形成装置の読み取り装置部１を説明する。図３は、読み取り装置部１の光学系装置の概略構成図である。読み取り装置部１は、原稿３０を載置するコンタクトガラス３１と、原稿３０の原稿面に光を照射するランプ３２と、原稿面から反射した光を反射させる第１ミラー３３、第２ミラー３４、第３ミラー３５と、光を集光するレンズ３８と、ＣＣＤ３９とを備えている。なお、ランプ３２と第１ミラー３３とが第１キャリッジ３６を構成していて、第２ミラー３４と第３ミラー３５とが第２キャリッジ３７を構成している。
【００３２】
原稿３０の読み取りは、ランプ３２から光を照射し、透明なコンタクトガラス３１を介して原稿面に反射した光を、第１ミラー３３、第２ミラー３４、第３ミラー３５の順に反射させ、レンズ３８で集光した後、ＣＣＤ３９上に結像し、ＣＣＤ３９において、その像の光による明暗を電荷の量に光電変換し、順次それを読み出して電気信号に変換することにより行われる。第１キャリッジ３６および第２キャリッジ３７は、矢線Ａに示す方向に移動するが、第１キャリッジ３６が距離Ｌだけ進む間に第２キャリッジ３７が距離Ｌ／２だけ進むため、光学系の光路長を一定に保ち、原稿全体を走査することができる。
【００３３】
図４は、図３に示す読み取り装置部１の第１キャリッジ３６および第２キャリッジ３７を駆動させる装置の装置構成図である。読み取り装置部１は、図３に示す光学系装置のほか、第１キャリッジ３６および第２キャリッジ３７を駆動させるために、駆動ワイヤ４０と、プーリ４１と、ホームポジションセンサ４２と、駆動軸４３と、ワイヤプーリ４４と、タイミングプーリ４５と、タイミングベルト４６と、モータ４７とを備えている。
【００３４】
図３に示した第１キャリッジ３６は、駆動ワイヤ４０に取り付けられ、第２キャリッジ３７は、プーリ４１が取り付けられて、そのプーリ４１に駆動ワイヤ４０が巻き付けられる。駆動軸４３には、ワイヤプーリ４４が繋がれ、そのワイヤプーリ４４に駆動ワイヤ４０が巻き付けられる。また、駆動軸４３には、タイミングプーリ４５も繋がれており、タイミングプーリ４５は、タイミングベルト４６を介してモータ４７に繋がれる。
【００３５】
モータ４７を駆動させると、その駆動を、タイミングベルト４６を介してタイミングプーリ４５、駆動軸４３、ワイヤプーリ４４に伝達し、ワイヤプーリ４４が駆動ワイヤ４０を巻き付け、駆動ワイヤ４０に取り付けられる第１キャリッジ３６およびプーリ４１を介して駆動ワイヤ４０に取り付けられる第２キャリッジ３７を矢線Ａに示す方向およびその反対方向である矢線Ｂに示す方向に移動させることができる。
【００３６】
読み取り開始位置となるホームポジションは、第１キャリッジ３６の一端をホームポジションセンサ４２が検知し、一定距離をリターンさせた位置、すなわち一定距離ほど矢線Ｂに示す方向に移動させた位置とされる。第１キャリッジ３６および第２キャリッジ３７による読み取り動作は、このホームポジションから開始し、読み取り動作が終了したときには、第１キャリッジ３６はこのホームポジションに戻される。
【００３７】
図５は、図３に示す読み取り装置部１の断面図である。図５に示す読み取り装置部１は、さらに、ＡＰＳセンサ５０を備えている。コンタクトガラス３１上に載置された原稿３０のサイズは、ＡＰＳセンサ５０によって検知することができる。このＡＰＳセンサ５０は、原稿３０に赤外光を照射し、原稿３０に反射した光の有無により、その原稿３０の有無を検知する。
【００３８】
次に、図６のシステム制御ブロック図を参照して、本発明の実施対象となる画像形成装置の制御形態について説明する。システム制御を行うために、画像形成装置は、システムコントローラ１００と、操作パネル制御装置２００と、エンジン３００と、それらを接続するデータバス／コマンドバス４００とをさらに含む。
【００３９】
システムコントローラ１００は、スキャナアプリケーション、コピーアプリケーション、プリンタアプリケーション、ＦＡＸアプリケーション等の複数および単体のアプリケーション機能をもち、装置全体の制御を行う。操作パネル制御装置２００は、装置の設定入力やその状態内容を表示する装置である。エンジン３００は、上記のように、原稿画像の読み取り、転写紙への画像の書き込みを行う。データバス／コマンドバス４００は、画像データと制御コマンドを時分割で転送するバスである。
【００４０】
各制御手段の詳細について説明する。システムコントローラ１００は、ワークメモリ１０１とフレームメモリ１０２を含む。ワークメモリ１０１は、プリンタ機能において使用される画像展開の作業用メモリである。フレームメモリ１０２は、読み取り画像や書き込み画像のイメージデータを記憶するための作業用メモリである。このイメージデータは、符号化されていてもよく、ドットイメージのイメージデータであってもよい。
【００４１】
システムコントローラ１００は、ＮＶＲＡＭ１０３と、ＲＡＭ１０４と、ＲＯＭ１０５と、ＣＰＵ１０６と、ネットワークＩ／Ｆコントローラ１０７と、システムＩ／Ｆコントローラ１０８とをさらに含む。ＮＶＲＡＭ１０３は、不揮発性メモリで、装置全体の情報を記憶する。ＲＡＭ１０４は、ＣＰＵ１０６が使用する作業用メモリであり、ＲＯＭ１０５は、ＣＰＵ１０６が実行する制御プログラムを記憶する。ＣＰＵ１０６は、ＲＯＭ１０５に記憶された制御プログラムを実行し、システムコントローラ１００の制御を行う。ネットワークＩ／Ｆコントローラ１０７は、図示しないネットワークとの接続制御を行うものである。また、システムＩ／Ｆコントローラ１０８は、ＣＰＵ１０６の命令により装置内で処理されるプリンタデータやＦＡＸデータの転送制御を行うものである。
【００４２】
システムコントローラ１００は、さらに、ＦＩＦＯバッファ１０９、１１０と、メモリコントローラ１１１と、ハードディスクコントローラ（ＨＤＤＣ）１１２と、３つのバス制御回路１１３、１１４、１１５を備えている。ＦＩＦＯバッファ１０９は、フレームメモリ１０２に記憶される画像データを出力画像としてデータ転送する際の速度変換を行うものである。ＦＩＦＯバッファ１１０は、入力画像をフレームメモリ１０２に書き込む際のデータ転送の速度変換を行うものである。メモリコントローラ１１１は、ＣＰＵ１０６の制御なしにフレームメモリ１０２およびＨＤＤＣ１１２とデータバス／コマンドバス４００との間の画像の入出力を制御するものである。ＨＤＤＣ１１２は、ＨＤＤを有し、ＨＤＤへの画像データの入出力制御を行うものである。なお、ＨＤＤには、読み取り装置部１により読み取られた画像およびネットワークを介して取得した画像が画像データとして記憶される。バス制御回路１１３、１１４、１１５は、ＦＩＦＯバッファ１０９、１１０とデータバス／コマンドバス４００との間、メモリコントローラ１１１とデータバス／コマンドバス４００との間、システムＩ／Ｆコントローラ１０８とデータバス／コマンドバス４００との間の制御を行うものである。
【００４３】
操作パネル制御装置２００は、入力装置２０１と、表示装置２０２と、ＲＯＭ２０３と、ＣＰＵ２０４と、ＲＡＭ２０５と、バス制御回路２０６とを含む。入力装置２０１は、ユーザがシステム設定の入力を行う装置である。表示装置２０２は、ユーザがシステム設定内容や状態を確認するために、その内容や状態を表示する装置である。ＲＯＭ２０３は、ＣＰＵ２０４が実行する操作パネル制御装置２００を制御するための制御プログラムを記憶する。ＣＰＵ２０４は、ＲＯＭ２０３から制御プログラムを読み出し、実行して、操作パネル制御装置２００の制御を行う。ＲＡＭ２０５は、ＣＰＵ２０４が使用する作業用メモリである。バス制御回路２０６は、ＣＰＵ２０４とデータバス／コマンドバス４００との間の制御を行うものである。
【００４４】
エンジン３００は、２つのバス制御回路３０１、３０２と、画像書き込みユニット３０３と、画像読み取りユニット３０４と、ＣＰＵ３０５と、電子写真プロセスユニット３０６と、転写紙搬送制御ユニット３０７と、ＲＡＭ３０８と、ＲＯＭ３０９と、課金装置Ｉ／Ｆユニット３１０と、原稿搬送制御ユニット３１１と、地紋認識ユニット３１２とを備えている。
【００４５】
バス制御回路３０１、３０２は、画像書き込みユニット３０３とデータバス／コマンドバス４００との間、ＣＰＵ３０５とデータバス／コマンドバス４００との間の制御を行うものである。画像書き込みユニット３０３は、レーザ光を画素周波数で点灯し、ポリゴンスキャナでスキャンする光学書き込み装置の制御を行う装置である。したがって、画像形成装置は、この光学書き込み装置も備える。画像読み取りユニット３０４は、ランプ３２の光を原稿３０に反射させ、その反射光をＣＣＤ３９で読み取る読み取り装置部１の制御を行う装置である。また、画像読み取りユニット３０４は、画像処理を行い、可視または不可視の識別子を画像データから抽出する。ＲＡＭ３０８は、ＣＰＵ３０５が使用する作業用メモリであり、ＲＯＭ３０９は、ＣＰＵ３０５が実行するエンジン３００を制御するための制御プログラムを記憶する。ＣＰＵ３０５は、ＲＯＭ３０９から制御プログラムを読み出し、実行して、エンジン３００の制御を行う。
【００４６】
ＣＰＵ３０５は、上記の抽出した識別子をコード化し、システムコントローラ１００へ送り、ネットワーク上に存在する他の画像形成装置やコンピュータを特定する。電子写真プロセスユニット３０６は、感光体上にレーザ光で書き込まれた潜像画像をトナーで顕像化し、それを転写紙に転写して、トナーを定着させる電子写真処理の制御を行う装置である。転写紙搬送制御ユニット３０７は、電子写真プロセスユニット３０６で画像が転写される転写紙の搬送制御を行う装置である。この転写紙搬送制御ユニット３０７は、給紙ユニットを制御して、任意のサイズの転写紙をセット可能な手差しトレイや、定型サイズの転写紙をセット可能な給紙トレイ５から給紙することができる。
【００４７】
原稿搬送制御ユニット３１１は、複数枚積載された原稿から読み取り装置部１が読み取る原稿を１枚ずつ搬送するように制御し、また、原稿サイズの検知を行うために、ＡＰＳセンサ５０の制御も行う。課金装置Ｉ／Ｆユニット３１０は、例えば、原稿のコピーを１枚出力するたびに課金を行う課金装置の制御を行うものである。地紋認識ユニット３１２は、印刷物の地の模様を認識する装置の制御を行うものである。
【００４８】
このように、画像形成装置は、システムコントローラ１００と、操作パネル制御装置２００と、エンジン３００といった制御手段を備えるものである。これらの制御手段には、電源が供給されており、この電源供給によって各制御を行うことができる。この画像形成装置は、一定時間操作されていない場合や、上記の操作ボードの電源ボタン２１が押下された場合には、システムコントローラ１００にのみ電源供給を行い、エンジン３００への電源供給を停止する省エネモードに移行可能な装置とされている。
【００４９】
省エネモードに移行可能な装置である場合、省エネモードから復帰する場合（システムコントローラ１００は通電状態であるため、エンジン３００へ電源供給を開始する場合）と、主電源スイッチ７が入れられた場合（システムコントローラ１００およびエンジン３００のいずれも電源供給が停止されていたため、それらのいずれにも電源供給を開始する場合）の２つが存在する。
【００５０】
省エネモードからの復帰においては、エンジン３００に電源が供給されると、初期設定、デバイスの接続確認、第１キャリッジ３６のホーミングを含む初期化処理が行われ、ＣＣＤ３９の初期調整等は省略される。これに対し、主電源スイッチ７が入れられた場合は、ＣＣＤ３９の初期調整等を含めた初期化処理が行われる。このため、省エネモードからの復帰のほうが早く復帰することができる。
【００５１】
省エネモードからの復帰する場合か、主電源スイッチ７が入れられた場合かという起動動作内容によって初期化処理が異なることから、これらの起動動作内容を判断しなければならない。本発明では、画像形成装置が、省エネモードへ移行する場合に所定位置に移動される移動部材と、エンジン３００に接続され、移動部材の位置を検知する移動部材検知手段とを備えているため、この移動部材の位置によってその内容を容易に判断することができる。
【００５２】
ここで、１つの実施例として、移動部材を第１キャリッジ３６とし、その第１キャリッジ３６が、所定位置であるホームポジションに位置しているか否かによって起動動作内容を判定する処理について説明する。なお、移動部材としての第１キャリッジ３６の位置は、ホームポジションセンサ４２によって検知することができるため、このホームポジションセンサ４２を移動部材検知手段として使用している。ここでは、移動部材を第１キャリッジ３６としているが、第２キャリッジ３７であってもよい。また、所定位置に限らず、所定範囲であってもよく、第１キャリッジ３６および第２キャリッジ３７の両方がホームポジションセンサ４２の検知範囲内にある場合、それら両方が所定範囲内にあると判断して、起動動作内容を判定することもできる。
【００５３】
一定時間操作されていない場合、あるいは操作ボードの電源ボタン２１が押下された場合、操作パネル制御装置２００のＣＰＵ２０４がこれを検知し、ＣＰＵ２０４は、データバス／コマンドバス４００を介してシステムコントローラ１００のＣＰＵ１０６に通知する。
【００５４】
ＣＰＵ１０６は、データバス／コマンドバス４００を介してエンジン３００のＣＰＵ３０５に、省エネモードへの移行を要求する。エンジン３００のＣＰＵ３０５は、画像読み取りユニット３０４に要求し、第１キャリッジ３６をホームポジションセンサ４２が検知することができない位置まで移動させる。移動が終了すると、ＣＰＵ３０５は、画像読み取りユニット３０４から移動完了通知を受け、システムコントローラ１００のＣＰＵ１０６に、データバス／コマンドバス４００を介して省エネモードへ移行する準備ができたことを通知する。この通知を受けて、ＣＰＵ１０６は、エンジン３００への電源供給を停止する。これによって、エンジン３００は省エネモードの状態となる。ＣＰＵ間の通知や要求は、各バス制御回路およびデータバス／コマンドバス４００を介して行われるが、簡略化のため、以下、その記載を省略して説明する。
【００５５】
エンジン３００が省エネモードの状態にある場合に、何らかの操作が加えられたことを操作パネル制御装置２００のＣＰＵ２０４が検知すると、ＣＰＵ２０４は、操作が加えられたことをシステムコントローラ１００のＣＰＵ１０６に通知する。ＣＰＵ１０６は、その通知を受けて、エンジン３００への電源供給を開始する。その後、エンジン３００のＣＰＵ３０５は、初期設定、デバイスの接続確認、第１キャリッジ３６のホーミングを含む初期化処理を実行する。
【００５６】
主電源スイッチ７が切られ、その後、主電源スイッチ７が入れられた場合には、システムコントローラ１００と操作パネル制御装置２００とに電源供給が開始され、システムコントローラ１００のＣＰＵ１０６が、エンジン３００への電源供給を開始する。その際、エンジン３００のＣＰＵ３０５は、システムコントローラ１００からの要求を待たずに、画像読み取りユニット３０４に、ホームポジションセンサ４２によって第１キャリッジ３６がホームポジションに位置しているか検知させる。この場合には、ホームポジションに位置しているため、ホームポジションセンサ４２が第１キャリッジ３６を検知したことを受けて、ＣＰＵ３０５は主電源スイッチ７が入れられた場合と判定し、ＣＣＤ３９の初期調整等を含む初期化処理を実行する。
【００５７】
主電源スイッチ７が切られた場合、操作パネル制御装置２００の入力装置２０１は主電源スイッチ７が切られたことを検知し、ＣＰＵ２０４に通知し、ＣＰＵ２０４は、システムコントローラ１００のＣＰＵ１０６にその旨を通知する。システムコントローラ１００のＣＰＵ１０６は、省エネモードに移行しているか否かを判定する。省エネモードに移行していない場合は、ＣＰＵ１０６は、即座にエンジン３００への電源供給を停止する。これに対し、省エネモードに移行している場合には、第１キャリッジ３６がホームポジションセンサ４２によって検知できない位置まで移動され、エンジン３００への電源供給が停止されるため、ＣＰＵ１０６は、エンジン３００への電源供給を開始し、エンジン３００のＣＰＵ３０５に省エネモードからの復帰と判断させ、画像読み取りユニット３０４に、第１キャリッジ３６をホーミングさせる。ＣＰＵ１０６は、ホーミングが終了したことの通知をＣＰＵ３０５から受けて、エンジン３００への電源供給を停止する。この場合、ＣＰＵ１０６は、エンジン３００への電源供給を開始するとともにタイマをセットし、タイムアウトしたことを受けてエンジン３００への電源供給を停止するようになされていてもよい。エンジン３００への電源供給を停止した後、画像形成装置への電源供給を停止する。
【００５８】
別の実施例として、移動部材を第１キャリッジ３６とし、その第１キャリッジ３６が、原稿サイズ検知位置に位置しているか否かによって起動動作内容を判定する処理について説明する。この場合、原稿サイズを検知するＡＰＳセンサ５０を移動部材検知手段として使用している。
【００５９】
一定時間操作されていない場合、あるいは操作ボードの電源ボタン２１が押下された場合、操作パネル制御装置２００のＣＰＵ２０４がこれを検知し、ＣＰＵ２０４は、システムコントローラ１００のＣＰＵ１０６に通知する。
【００６０】
ＣＰＵ１０６は、エンジン３００のＣＰＵ３０５に、省エネモードへの移行を要求する。エンジン３００のＣＰＵ３０５は、画像読み取りユニット３０４に要求し、第１キャリッジ３６をＡＰＳセンサ５０が赤外光を照射し、その反射光を受光可能な位置、すなわちＡＰＳセンサ５０の検知範囲内に移動させる。移動が終了すると、ＣＰＵ３０５は、画像読み取りユニット３０４から移動完了通知を受け、システムコントローラ１００のＣＰＵ１０６に、省エネモードへ移行する準備ができたことを通知する。この通知を受けて、ＣＰＵ１０６は、エンジン３００への電源供給を停止する。これによって、エンジン３００は省エネモードの状態となる。
【００６１】
エンジン３００が省エネモードの状態にある場合に、何らかの操作が加えられたことを操作パネル制御装置２００のＣＰＵ２０４が検知すると、ＣＰＵ２０４は、操作が加えられたことをシステムコントローラ１００のＣＰＵ１０６に通知する。ＣＰＵ１０６は、その通知を受けて、エンジン３００への電源供給を開始する。その後、エンジン３００のＣＰＵ３０５は、初期設定、デバイスの接続確認、第１キャリッジ３６のホーミングを含む初期化処理を実行する。
【００６２】
主電源スイッチ７が切られ、その後、主電源スイッチ７が入れられた場合には、システムコントローラ１００と操作パネル制御装置２００とに電源供給が開始され、システムコントローラ１００のＣＰＵ１０６が、エンジン３００への電源供給を開始する。その際、エンジン３００のＣＰＵ３０５は、システムコントローラ１００からの要求を待たずに、画像読み取りユニット３０４に、ＡＰＳセンサ５０によって第１キャリッジ３６を検知させる。この場合には、第１キャリッジ３６がＡＰＳセンサ５０の検知範囲外に位置しているため、ＣＰＵ３０５は、ＡＰＳセンサ５０によって検知できない旨の通知を受けて、主電源スイッチ７が入れられた場合と判定し、ＣＣＤ３９の初期調整等を含む初期化処理を実行する。
【００６３】
主電源スイッチ７が切られた場合、操作パネル制御装置２００の入力装置２０１は主電源スイッチ７が切られたことを検知し、ＣＰＵ２０４に通知し、ＣＰＵ２０４は、システムコントローラ１００のＣＰＵ１０６にその旨を通知する。システムコントローラ１００のＣＰＵ１０６は、省エネモードに移行しているか否かを判定する。省エネモードに移行していない場合は、ＣＰＵ１０６は、即座にエンジン３００への電源供給を停止する。これに対し、省エネモードに移行している場合には、第１キャリッジ３６がＡＰＳセンサ５０によって検知可能な位置まで移動されていて、エンジン３００への電源供給が停止されるため、ＣＰＵ１０６は、エンジン３００への電源供給を開始し、エンジン３００のＣＰＵ３０５に省エネモードからの復帰と判断させ、画像読み取りユニット３０４に、第１キャリッジ３６をホーミングさせる。ＣＰＵ１０６は、ホーミングが終了したことの通知をＣＰＵ３０５から受けて、エンジン３００への電源供給を停止する。この場合も、ＣＰＵ１０６は、エンジン３００への電源供給を開始するとともにタイマをセットし、タイムアウトしたことを受けてエンジン３００への電源供給を停止するようになされていてもよい。エンジン３００への電源供給を停止した後、画像形成装置への電源供給を停止する。
【００６４】
上記の実施例では、省エネモードからの復帰か、主電源を入れた場合かの判断を、第１キャリッジがホームポジションセンサ４２で検知できるか否か、ＡＰＳセンサ５０で検知できるか否かで判断した。その際、第１キャリッジがホームポジションセンサ４２で検知できない場合、第１キャリッジがＡＰＳセンサ５０で検知できる場合を、省エネモードからの復帰と判断した。本発明では、これに限られるものではなく、第１キャリッジがホームポジションセンサ４２で検知できる場合、第１キャリッジがＡＰＳセンサ５０で検知できない場合を、省エネモードからの復帰と判断することもできる。
【００６５】
上記の画像形成装置による処理は、装置可読なプログラムを提供することによっても実現することができる。この場合、各処理に対応したプログラムを各ＲＯＭに記憶させておき、各ＣＰＵに実行させることにより実現することができる。
【００６６】
これまで本発明を図面に示した実施の形態をもって説明してきたが、本発明は図面に示した実施の形態に限定されるものではなく、他の実施の形態、追加、変更、削除など、当業者が想到することができる範囲内で変更することができ、いずれの態様においても本発明の作用・効果を奏する限り、本発明の範囲に含まれるものである。
【図面の簡単な説明】
【００６７】
【図１】本発明の実施対象となる画像形成装置を例示した図。
【図２】図１に示す画像形成装置に使用される操作ボードを例示した図。
【図３】図１に示す画像形成装置に使用される読み取り装置部の光学系装置の概略構成図。
【図４】図３に示す読み取り装置部の第１キャリッジおよび第２キャリッジを駆動させる装置の装置構成図。
【図５】図３に示す読み取り装置部の断面図。
【図６】本発明の実施対象となる画像形成装置のシステム制御ブロック図。
【符号の説明】
【００６８】
１…読み取り装置部、２…操作ボード、３…原稿自動送り装置、４…原稿排出部、５…給紙トレイ、６…フィニッシャ、７…主電源スイッチ、１０…初期設定ボタン、１１…コピーボタン、１２…スキャナボタン、１３…プリンタボタン、１４…ＦＡＸボタン、１５…表示部、１６…数字キー、１７…クリアストップボタン、１８…メモリクリアボタン、１９…スタートボタン、２０…予熱ボタン、２１…電源ボタン、３０…原稿、３１…コンタクトガラス、３２…ランプ、３３…第１ミラー、３４…第２ミラー、３５…第３ミラー、３６…第１キャリッジ、３７…第２キャリッジ、３８…レンズ、３９…ＣＣＤ、４０…駆動ワイヤ、４１…プーリ、４２…ホームポジションセンサ、４３…駆動軸、４４…ワイヤプーリ、４５…タイミングプーリ、４６…タイミングベルト、４７…モータ、５０…ＡＰＳセンサ、１００…システムコントローラ、１０１…ワークメモリ、１０２…フレームメモリ、１０３…ＮＶＲＡＭ、１０４…ＲＡＭ、１０５…ＲＯＭ、１０６…ＣＰＵ、１０７…ネットワークＩ／Ｆコントローラ、１０８…システムＩ／Ｆコントローラ、１０９、１１０…ＦＩＦＯバッファ、１１１…メモリコントローラ、１１２…ハードディスクコントローラ、１１３、１１４、１１５…バス制御回路、２００…操作パネル制御装置、２０１…入力装置、２０２…表示装置、２０３…ＲＯＭ、２０４…ＣＰＵ、２０５…ＲＡＭ、２０６…バス制御回路、３００…エンジン、３０１、３０２…バス制御回路、３０３…画像書き込みユニット、３０４…画像読み取りユニット、３０５…ＣＰＵ、３０６…電子写真プロセスユニット、３０７…転写紙搬送制御ユニット、３０８…ＲＡＭ、３０９…ＲＯＭ、３１０…課金装置Ｉ／Ｆユニット、３１１…原稿搬送制御ユニット、３１２…地紋認識ユニット、４００…モータバス／コマンドバス
【図１】
2008216527.tif 000003
【図２】
2008216527.tif 000004
【図３】
2008216527.tif 000005
【図４】
2008216527.tif 000006
【図５】
2008216527.tif 000007
【図６】
2008216527.tif 000008